【手続補正書】
【提出日】平成22年12月13日(2010.12.13)
【手続補正１】
【補正対象書類名】特許請求の範囲
【補正対象項目名】全文
【補正方法】変更
【補正の内容】
【特許請求の範囲】
【請求項１】
内燃機関に用いるのに適した下記の成分の混合物を含む潤滑剤組成物：
（ａ）潤滑粘度を有する主要量の基油、
（ｂ）一以上の無灰分散剤、
（ｃ）一以上の金属含有清浄剤、および
（ｄ）ピストンの清浄性を向上させることのできる量の、ポリイソブチレンとモノ不飽和アシル化剤との少なくとも一つの反応生成物、ただし、該ポリイソブチレンの数平均分子量は２００から５０００ドルトンである；
ただし、潤滑剤組成物の総質量に対する潤滑剤組成物中のイオウ含有量は０．３質量％以下、リン含有量は０．０９質量％以下、硫酸灰分含有量は１．６質量％以下である。
【請求項２】
ポリイソブチレンとモノ不飽和アシル化剤との反応生成物が下記のいずれかの式で表わされる請求項１に記載の潤滑剤組成物：
【化１】
2008202028.tif 000001
ただし、Ｒ1は数平均分子量が２００から５０００ドルトンのポリイソブチレン鎖、Ｒ2はカルボキシル含有基である。
【請求項３】
さらに、耐摩耗剤、摩擦調整剤、酸化防止剤、腐食防止剤、粘度指数向上剤、消泡剤、シール固定剤、流動点降下剤およびその他の多機能添加剤から選ばれる一以上の添加剤を含有する請求項１に記載の潤滑剤組成物。
【請求項４】
イオウ含有量が潤滑剤組成物の総質量に対して０．２質量％以下である請求項１に記載の潤滑剤組成物。
【請求項５】
イオウ含有量が潤滑剤組成物の総質量に対して０．１質量％以下である請求項４に記載の潤滑剤組成物。
【請求項６】
リン含有量が潤滑剤組成物の総質量に対して０．０８質量％以下である請求項１に記載の潤滑剤組成物。
【請求項７】
リン含有量が潤滑剤組成物の総質量に対して０．０７質量％以下である請求項６に記載の潤滑剤組成物。
【請求項８】
リン含有量が潤滑剤組成物の総質量に対して０．０５質量％以下である請求項７に記載の潤滑剤組成物。
【請求項９】
硫酸灰分含有量が潤滑剤組成物の総質量に対して１．０質量％以下である請求項１に記載の潤滑剤組成物。
【請求項１０】
硫酸灰分含有量が潤滑剤組成物の総質量に対して０．８質量％以下である請求項９に記載の潤滑剤組成物。
【請求項１１】
硫酸灰分含有量が潤滑剤組成物の総質量に対して０．５質量％以下である請求項１０に記載の潤滑剤組成物。
【請求項１２】
硫酸灰分含有量が潤滑剤組成物の総質量に対して０．４５質量％以下である請求項１１に記載の潤滑剤組成物。
【請求項１３】
ポリイソブチレンとモノ不飽和アシル化剤との少なくとも一つの反応生成物の量が潤滑剤組成物の総質量に対して０．０１から５．０質量％である請求項１に記載の潤滑剤組成物。
【請求項１４】
ポリイソブチレンとモノ不飽和アシル化剤との少なくとも一つの反応生成物の量が潤滑剤組成物の総質量に対して０．５から４．０質量％である請求項１３に記載の潤滑剤組成物。
【請求項１５】
ポリイソブチレンとモノ不飽和アシル化剤との少なくとも一つの反応生成物の量が潤滑剤組成物の総質量に対して１．０から２．５質量％である請求項１４に記載の潤滑剤組成物。
【請求項１６】
ポリイソブチレンとモノ不飽和アシル化剤との少なくとも一つの反応生成物中のポリイソブチレンが５００から４５００ドルトンの数平均分子量を有する請求項１に記載の潤滑剤組成物。
【請求項１７】
ポリイソブチレンが１０００から３５００ドルトンの数平均分子量を有する請求項１６に記載の潤滑剤組成物。
【請求項１８】
ポリイソブチレンが２３００ドルトンの数平均分子量を有する請求項１７に記載の潤滑剤組成物。
【請求項１９】
ポリイソブチレンが１３００ドルトンの数平均分子量を有する請求項１７に記載の潤滑剤組成物。
【請求項２０】
ポリイソブチレンとモノ不飽和アシル化剤との少なくとも一つの反応生成物中のポリイソブチレンが高反応性ポリイソブチレンである請求項１に記載の潤滑剤組成物。
【請求項２１】
モノ不飽和アシル化剤が無水物または無水物生成性物質から誘導されるものである請求項１に記載の潤滑剤組成物。
【請求項２２】
モノ不飽和アシル化剤が無水マレイン酸から誘導されるものである請求項２１に記載の潤滑剤組成物。
【請求項２３】
一以上の金属含有清浄剤が０．０５から１６ｍＭの量で存在する請求項１に記載の潤滑剤組成物。
【請求項２４】
無灰分散剤が一以上のポリイソブチレン無水コハク酸から誘導されたビスコハク酸イミドである請求項１に記載の潤滑剤組成物。
【請求項２５】
無灰分散剤が、ポリイソブチレン鎖の数平均分子量が２３００ドルトンであるポリイソブチレン無水コハク酸から誘導されたビスコハク酸イミドである請求項２４に記載の潤滑剤組成物。
【請求項２６】
無灰分散剤が、ポリイソブチレン鎖の数平均分子量が２３００ドルトンである第一のポリイソブチレン無水コハク酸とポリイソブチレン鎖の数平均分子量が１３００ドルトンである第二のポリイソブチレン無水コハク酸との混合物から誘導されたビスコハク酸イミドである請求項２４に記載の潤滑剤組成物。
【請求項２７】
ビスコハク酸イミドが０．５質量％から１０質量％の量で存在する請求項２４に記載の潤滑剤組成物。
【請求項２８】
耐摩耗剤が金属のジカルビルジチオリン酸塩である請求項３に記載の潤滑剤組成物。
【請求項２９】
金属のジカルビルジチオリン酸塩がジアルキルチオリン酸亜鉛である請求項２８に記載の潤滑剤組成物。
【請求項３０】
潤滑剤組成物中のリン含有量の０．０３から０．０７５質量％がジアルキルチオリン酸亜鉛によるものである請求項２９に記載の潤滑剤組成物。
【請求項３１】
潤滑剤組成物中のチッ素含有量の０．０８から０．１２質量％が無灰分散剤によるものである請求項１に記載の潤滑剤組成物。
【請求項３２】
金属含有清浄剤がカルシウム過塩基性清浄剤である請求項１に記載の潤滑剤組成物。
【請求項３３】
カルシウム過塩基性清浄剤がカルシウムスルホネート、カルシウムフェネート、カルシウムサリシレート、カルシウムステアレートおよび、これらの混合物から選ばれる請求項３２に記載の潤滑剤組成物。
【請求項３４】
酸化防止剤がジフェニルアミンである請求項３に記載の潤滑剤組成物。
【請求項３５】
ジフェニルアミンが潤滑剤組成物の総質量に対して０．０５質量％から５．００質量％の量で存在する請求項３４に記載の潤滑剤組成物。
【請求項３６】
摩擦調整剤がモリブデン・コハク酸イミド錯体である請求項３に記載の潤滑剤組成物。
【請求項３７】
モリブデン・コハク酸イミド錯体が潤滑剤組成物の総質量に対して０．１５から０．５５質量％の量で存在する請求項３６に記載の潤滑剤組成物。
【請求項３８】
粘度指数向上剤がエチレンポリマーまたはポリアルキルメタクリレート・コポリマーである請求項３に記載の潤滑剤組成物。
【請求項３９】
内燃機関内のピストン清浄性を向上させる方法であって、上記請求項のいずれかの項に記載の、リン含有量、イオウ含有量および硫酸灰分含有量のいずれもが低い潤滑剤組成物を用いて内燃機関を運転することを特徴とする方法。
【請求項４０】
排気ガス後処理装置を備えた内燃機関を運転する方法であって、請求項１から３８のいずれかの項に記載の潤滑剤組成物を用いて内燃機関の潤滑をすることを特徴とする方法。
【請求項４１】
内燃機関が、（１）低負荷ディーゼル燃料内燃機関、（２）高負荷ディーゼル燃料内燃
機関、そして（３）ガソリン燃料内燃機関から選ばれる内燃機関である請求項４０に記載の方法。
【請求項４２】
排気ガス後処理装置が微粒子除去装置または触媒変換装置から選ばれる一以上の装置である請求項４０に記載の方法。